(57)【要約】【課題】開封操作を片手で容易に行うことができ、吸収性物品を容易且つ迅速に取り出すことができる吸収性物品の個装体を提供すること。【解決手段】吸収性物品１（以下、物品１）と包装材５とを具備する物品１の個装体１０であり、包装材５は、物品１より幅の広い幅広部５１と幅広部５１より幅の狭い幅狭部５２とからなり、物品１は、幅狭部５２と共にその長手方向に一体的に巻回及び／又は折り畳まれてロール状物Ｒとされており、幅広部５１は、ロール状物Ｒを内包した状態で物品１の長手方向に折り畳まれ、且つ幅方向両端縁部５１ｂの、相対向する重ね合わせ部分が接合されてシール部５３が形成されており、シール部５３の長手方向の長さが、物品１の長手方向の長さの１／３以下であり、個装体を親指と他の指の間に挟んで持ち、その親指又は他の指を一方向にずらすことで該シール部５３の全域を剥離させ得る。【選択図】図１
2007097923.tif 000002
【特許請求の範囲】
【請求項１】
吸収性物品と、該吸収性物品の非肌当接面側に粘着剤を介して剥離可能に粘着され、該吸収性物品を包装する包装材とを具備する吸収性物品の個装体であって、
前記包装材は、前記吸収性物品より幅の広い幅広部と、該幅広部より幅の狭い幅狭部とからなり、
前記吸収性物品は、前記幅狭部と共に該吸収性物品の長手方向に一体的に巻回され及び／又は折り畳まれてロール状物とされており、前記幅広部は、該ロール状物を挟み込んだ状態に該吸収性物品の長手方向に折り畳まれ、且つ該吸収性物品の両端縁から外方に延出した該幅広部の幅方向両端縁部において、該幅広部の相対向する重ね合わせ部分が接合されてシール部が形成されており、
前記シール部の長手方向の長さが、前記吸収性物品の長手方向の長さの１／３以下であり、個装体を親指と他の指の間に挟んで持ち、その親指又は他の指を一方向にずらすことで該シール部の全域を剥離させ得るようになされている吸収性物品の個装体。
【請求項２】
前記幅広部は、該幅広部の略中央部を折り線として２つ折り状態に折り畳まれている請求項１記載の吸収性物品の個装体。
【請求項３】
前記シール部は、前記幅広部の前記重ね合わせ部分間が接合された接合部と該重ね合わせ部分間が接合されていない非接合部とを長手方向に交互に有している請求項１又は２記載の吸収性物品の個装体。
【請求項４】
前記幅広部は、吸収性物品とは反対側の面の摩擦係数が０．７以下である請求項１〜３の何れかに記載の吸収性物品の個装体。
【請求項５】
前記個装体の展開状態において、前記シール部を形成していた部分の長手方向の長さは、前記吸収性物品の長手方向の長さの１／２以下である請求項１〜４の何れかに記載の吸収性物品の個装体。
【請求項６】
前記吸収性物品は、液保持層及び防漏層を具備し、該液保持層は、３次元的に捲縮した潜在捲縮性繊維を含む層を１層以上具備する請求項１〜５の何れかに記載の吸収性物品の個装体。
【発明の詳細な説明】
【技術分野】
【０００１】
本発明は、吸収性物品と、該吸収性物品の非肌当接面側に粘着剤を介して剥離可能に粘着され、該吸収性物品を包装する包装材とを具備する吸収性物品の個装体に関する。
【背景技術】
【０００２】
従来、パンティライナー（おりものシート）、生理用ナプキン、失禁パッド等の吸収性物品は、包装材と共に折り畳まれ、該包装材の所定箇所が封止されることにより個別包装されて市販されている。この個別包装された吸収性物品を使用する場合には、通常、包装材の封止されている部分を引き剥がす、折り畳まれていた吸収性物品を展開する、吸収性物品を包装材から引き剥がす、吸収性物品を正しく装着するなどの操作が必要であり、吸収性物品の取り出し・装着作業に意外に手間取ることがある。また、包装材の接着部分が長いため、そこを剥がす時に大きな音がすることもある。このため、ユーザーからは、吸収性物品の速やかな取り出し・装着が可能な個別包装が要望されている。また、例えばパンティライナーや生理用ナプキンなどは、個別包装された状態でバッグなどに入れられて携帯されることが少なくなく、嵩張らずコンパクトに個別包装されていることも要望されている。
【０００３】
上記要望に対応した技術として、特許文献１には、衛生ナプキン等のパッドと、ラッパー（包装材）とを有し、該ラッパーの縦方向エッジは該パッドの縦方向エッジより短く、該パッドの縦方向部分の５０％を越える部分が該ラッパーと重なり、該パッドの一部は該ラッパーと重ならず、該ラッパーの縦サイドは該パッドの縦サイドを越えて延びる使い捨て製品が開示されている。
【０００４】
しかし、特許文献１に開示されている使い捨て製品は、パッドがラッパーにより個別包装された状態において、該ラッパーの全周縁が封止されているため、封止部分の引き剥がし作業に手間がかかり、パッドの取り出しに時間がかかり、且つ剥がす時の音も大きくなってしまう。更に、この使い捨て製品は、勿論、片手で開封することは困難である。
【０００５】
また、特許文献２には、生理用ナプキンの包装方法として、ナプキンを、該ナプキンの外形より大きな包装材上に載置した後、該包装材のナプキンの長辺側に位置する両側端部を、ナプキンの一部を覆うように内側に折り曲げ、次いで、該包装材のナプキンの短辺側に位置する両側端部を、ナプキンとともにナプキンの長手方向に折り曲げ、その折り曲げ状態を粘着シール等により固定する方法が記載されている。
【０００６】
しかし、特許文献２の方法で得られる生理用ナプキンの個装体においては、両手を使って粘着シール等を剥離した後、更に包装材を開いてナプキンを取り出さなければならず、ナプキンの取り出しに時間がかかる。
【０００７】
【特許文献１】特開２０００−５２２７号公報
【特許文献２】特開平３−１７６３７６号公報
【発明の開示】
【発明が解決しようとする課題】
【０００８】
従って、本発明の目的は、開封操作を片手で容易に行うことができ、吸収性物品を容易且つ迅速に取り出すことができる吸収性物品の個装体を提供することにある。
【課題を解決するための手段】
【０００９】
本発明は、吸収性物品と、該吸収性物品の非肌当接面側に粘着剤を介して剥離可能に粘着され、該吸収性物品を包装する包装材とを具備する吸収性物品の個装体であって、前記包装材は、前記吸収性物品より幅の広い幅広部と、該幅広部より幅の狭い幅狭部とからなり、前記吸収性物品は、前記幅狭部と共に該吸収性物品の長手方向に一体的に巻回され及び／又は折り畳まれてロール状物とされており、前記幅広部は、該ロール状物を挟み込んだ状態に該吸収性物品の長手方向に折り畳まれ、且つ該吸収性物品の両端縁から外方に延出した該幅広部の幅方向両端縁部において、該幅広部の相対向する重ね合わせ部分が接合されてシール部が形成されており、前記シール部の長手方向の長さが、前記吸収性物品の長手方向の長さの１／３以下であり、個装体を親指と他の指の間に挟んで持ち、その親指又は他の指を一方向にずらすことで該シール部の全域を剥離させ得るようになされている吸収性物品の個装体を提供することにより前記目的を達成したものである。
【発明の効果】
【００１０】
本発明の吸収性物品の個装体によれば、開封操作を片手で容易に行うことができ、吸収性物品を容易且つ迅速に取り出すことができる。
【発明を実施するための最良の形態】
【００１１】
以下、本発明の吸収性物品の個装体を、その好ましい一実施形態について、図面を参照しながら説明する。
本実施形態の個装体１０は、図１〜図３に示すように、パンティライナー（おりものシート）１と、該パンティライナー１の非肌当接面側（着用時に着用者の肌側とは反対側に配される側）に粘着剤４を介して剥離可能に粘着され、該パンティライナー１を包装する包装材５とを具備しており、該包装材５は、パンティライナー１より幅の広い幅広部５１と、該幅広部５１より幅の狭い幅狭部５２とからなる。
【００１２】
本実施形態の個装体１０は、図３（ａ）〜（ｃ）及び図４ように、パンティライナー１が、幅狭部５２と共に該パンティライナー１の長手方向に一体的に巻回及び／又は折り畳まれてロール状物Ｒとされており、幅広部５１は、該ロール状物Ｒを挟み込んだ状態にパンティライナー１の長手方向に折り畳まれ、且つ該ロール状物Ｒの両端縁から外方に延出した該幅広部５１の幅方向両端縁部５１ｂ，５１ｂにおいて、該幅広部５１の相対向する重ね合わせ部分が接合されてシール部５３，５３が形成されているものである。
【００１３】
本実施形態の個装体１０について詳述すると、パンティライナー１は、図１に示すように、個装体の展開状態において、長手方向の中央部付近がやや細幅の長円形状を有している。パンティライナー１の長手方向の長さＬ及び幅方向の長さＷ（最大幅部分の長さ）の大きさは、特に限定されるものではないが、例えば、Ｌは８〜１８ｃｍ程度、好ましくは１２〜１６ｃｍ程度、Ｗは、４〜７ｃｍ程度、好ましくは５〜６ｃｍ程度である。
【００１４】
パンティライナー１は、図２に示すように、液保持層２及び防漏層３を具備している。液保持層２と防漏層３とは、接着材、ヒートエンボス加工等の公知の接合処理により一体化されている。斯かる構成のパンティライナー１は、肌当接面側（着用時に着用者の肌側に配される側）から液を吸収して、その液を漏らさないように保持可能である。
【００１５】
粘着剤４は、パンティライナー１を下着の所定箇所に固定するためのものであり、本実施形態においては、図２に示すように、パンティライナー１の非肌当接面側の略全域に所定のパターンで塗布されている。粘着剤４は、パンティライナー１の長手方向の一端側の一部が幅広部５１に粘着し、残りの部分が幅狭部５２に粘着している。粘着剤４の塗工パターンは、従来公知の種々のパターンを採用し得るが、本実施形態における粘着剤の塗布パターンは、パンティライナー１の幅方向に沿って粘着剤を連続的に又は不連続に塗布してなる粘着剤塗布部が、該パンティライナー１の長手方向に所定間隔を置いて多列に形成された塗布パターンである。
【００１６】
包装材５は、図１〜図３に示すように、個装体の展開状態において、縦長に形成されており、その長手方向一端側が、幅方向の長さが相対的に長い幅広部５１となっており、その他の部分が、幅方向の長さが相対的に短い幅狭部５２となっている。幅広部５１及び幅狭部５２は、何れもパンティライナー１よりも幅広の矩形形状を有している。パンティライナー１は、その長手方向及び幅方向を、包装材５の長手方向及び幅方向にそれぞれ一致させて、包装材５の幅方向中央部に粘着剤４により粘着されている。従って、「幅広部５１の幅方向」及び「幅狭部５２の幅方向」は、それぞれ、パンティライナー１の長手方向と直交する方向と同方向であり、「幅広部５１の幅方向と直交する方向」及び「幅狭部５２の幅方向と直交する方向」は、それぞれ、パンティライナー１の長手方向と同方向である。
【００１７】
幅広部５１の幅方向の長さＷ１（図１参照）は、パンティライナー１の幅方向の長さＷに対して、好ましくは１０５〜１６０％、更に好ましくは１１０〜１５０％の範囲にある。また、幅広部５１の幅方向の長さＷ１は、幅狭部５２の幅方向の長さＷ２に対して、好ましくは１０５〜１６０％、更に好ましくは１１０〜１５０％の範囲にある。
【００１８】
幅広部５１の幅方向と直交する方向の長さＬ１は、パンティライナー１の長手方向の長さＬに対して、好ましくは５〜４０％、更に好ましくは２０〜３０％の範囲にある。
また、幅広部５１は、パンティライナー１の長手方向一端（長手方向に最も突出した部分）から外方に向けて延出した延出部分５１ａを有している。
【００１９】
本実施形態の個装体１０おけるシール部５３は、その長手方向の長さＬ３（図４参照）が、パンティライナー１の長手方向の長さＬの１／３以下である。シール部５３の長さが、この長さを超えると、指をずらすだけでシール部を剥離させることが難しくなる。
シール部の長さを抑えて片手での開封を容易とする一方、パンティライナー１の全体が幅広部５１に内包されるようにする観点から、シール部５３の長さＬ３は、パンティライナー１の長手方向の長さＬの１０〜４０％であることが好ましく、２０〜３０％であることがより好ましい。また、数値的には、シール部５３の長手方向の長さＬ３は、好ましくは５〜４０ｍｍ、更に好ましくは１０〜３０ｍｍである。
また、シール部５３の幅Ｗ３は、好ましくは２〜１０ｍｍ、更に好ましくは３〜７ｍｍである。
【００２０】
また、幅広部５１は、図３（ｃ）に示すように、該幅広部５１の長手方向（幅方向に直交する方向と同じ）の略中央部を折り線Ｂ１として、２つ折り状態に折り畳まれている。そして、その２つ折り状態とされた幅広部５１の相対向する重ね合わせ部分同士が接合されてシール部５３，５３が形成されている。
このように折り畳まれた幅広部５１によりシール部が形成されていると、個装体１を親指と他の指の間に挟んで持ち、その指を一方向に一回ずらすだけでシール部５３の全域を容易に剥離させることができ、片手での開封操作が一層容易となる。
【００２１】
本実施形態におけるシール部５３は、図６に示すように、幅広部５１の幅方向と直交する方向（図中Ｘ方向）に間欠的に、幅広部の重ね合わせ部分間が接合された接合部５３ａを有している。即ち、Ｘ方向に、幅広部の重ね合わせ部分間が接合された接合部５３ａと該重ね合わせ部分間が接合されていない非接合部５３ｂとを交互に有している。このような構成を有することにより、片手でシール部５３を剥離することが一層容易とある。尚、接合部５３ａは、幅広部５１の幅方向（図中Ｙ方向）と平行に形成されていても良いが、該幅方向に対して斜めに形成されていることが好ましい。接合部５３ａの中心線のＹ方向に対する傾斜角度θは、例えば５〜８５度とすることができる。
尚、シール部５３が、本実施形態におけるように、交互に形成された接合部５３ａと非接合部５３ｂとから形成されている場合、シール部５３の長手方向の長さは、非接合部５３ｂを含めた長さとする。
【００２２】
包装材５は、少なくとも幅広部における、パンティライナー１と反対側の面の摩擦係数が０．７以下であることが、シール部５３において包装材同士間にすべりが生じ易くなり、片手での開封が一層容易となることから好ましく、０．２〜０．５であることがより好ましい。
包装材５の摩擦係数は、以下のようにして測定する。
＜摩擦係数の測定方法＞
図１０（ａ）に示すように包装材（個装フィルム）を、吸収性物品の長手方向と同じ方向に７０mm以上×それに直交する方向に７０mm以上の大きさにカットして試験片６１とする（ｎ＝３）。
図１０（ｂ）のように、試験片６１の流れ方向の幅に対する中央部にカッターで穴６２を開ける。この穴は、摩擦係数測定治具（以下、すべり片）６３に設けられたつり手６４が入る程度の大きさとし、あまり大きく開けない。尚、流れ方向とは、つり手を引いてスベリ片をすべらせる方向である。
すべり片６３のステンレス板（（株）浅沼商会  ＦＥＲＯＴＹＰＥ  ＰＬＡＴＥ：６４mm×６４mm×６mm、重量２００ｇ）に、図１０（ｂ）及び（ｃ）で示すように同じ方向を維持しながら、試験片６１の穴６２につり手６４を通し、該試験片６１をすべり片６３に固定する。試験片６１のすべり片６３に対する固定は、試験片６１で、すべり片６３における、後述するスベリ台と対向させる一面（６４mm×６４mm）及びそれに隣接する四面を覆い、残りの一面上に位置した試験片６１の周縁部を、粘着テープ６５で接着して行う。
この時、試験片を張り過ぎたり、たるませて貼り付けたりしないよう注意する。
一方、準備したスベリ台上に、上記試験片６１と同様に包装材を切断して得た試験片６６を、６５mm以上×８０mm以上の大きさとなるように取り貼り付けて固定する。この試験片６６も張り過ぎたり、たるませて貼り付けたりしないよう注意する。尚、試験片６６を固定したスベリ台の面は水平にする。
試験片６６の上に、試験片６１を貼り付けたスベリ片６３を置き、その天面に１ｋｇの荷重をかけて、引張り速度２００ｍｍ／ｍｉｎ、引張り距離６０ｍｍ、チャート速度３０ｍｍ／ｍｉｎの条件にて測定を行う。
記録されたチャートの荷重の平均値を摩擦係数とする。
【００２３】
また、個装体１０の展開状態、具体的には、シール部５３における幅広部５１の接合された重ね合わせ部分を引き剥がして該幅広部５１を展開した状態（シール部の接合状態を破壊して幅広部を展開した状態）において、該シール部５３を形成していた部分（シール部形成部）の長手方向の長さは、パンティライナー１の長手方向の長さＬの５０％以下であることが好ましく、３０〜４０％であることが更に好ましい。シール部形成部の長さをパンティライナーの全長に対して斯かる割合に調整することにより、パンティライナーをより一層コンパクトに個別包装できるようになると共に、シール部を片手で剥離させることが一層容易となる。本実施形態のシール部５３のように、交互に形成された接合部５３ａと非接合部５３ｂとからなるシール部５３の場合、上記の「シール部形成部の長手方向の長さ」は、接合部５３ａのみの長さを合計した値とする。
【００２４】
本実施形態におけるパンティライナー１の液保持層２は、３次元的に捲縮した潜在捲縮性繊維を含む層を１層以上具備している。液保持層がこのような層を具備していることにより、個装体の内部に巻回されあるいは折り畳まれているパンティライナーの巻き癖が少なく、シール部の開封時に展開しやすいため、個装体の開封及びその後のパンティライナーの取り出しが一層容易となる。
【００２５】
潜在捲縮性繊維は、加熱前は、従来の不織布用の繊維と同様に取り扱うことができ、且つ所定温度での加熱によって螺旋状の捲縮が発現して収縮する性質を有する繊維である。潜在捲縮性繊維は、例えば、収縮率の異なる２種類の熱可塑性ポリマー材料を成分とする偏心芯鞘型複合繊維又はサイド・バイ・サイド型複合繊維からなる。熱可塑性ポリマー材料としては、例えば、ポリエチレンやポリプロピレン等のポリオレフィン、ポリエチレンテレフタレート等のポリエステル、ポリアミド等が挙げられる。潜在捲縮性繊維の含有量は、液保持層２の重量に対して、好ましくは４０〜１００重量％、更に好ましくは７０〜１００重量％である。
【００２６】
本実施形態においては、図５に示すように、液保持層２は、潜在捲縮性繊維を含む第１繊維層２１と、潜在捲縮性繊維を含まないか又は潜在捲縮性繊維を第１繊維層２１よりも低い含有率で含む第２繊維層２２とからなり、該第１繊維層２１と第２繊維層２２とは、部分的に接合されて接合部２３で一体化されており、多層不織布２とされている。多層不織布２の第２繊維層２２側には、凹凸形状が形成されている。上記多層不織布（液保持層）２は、第１繊維層形成材と第２繊維層形成材とを互いに積層した状態で、両者を熱又は超音波エンボス等により部分的に熱融着して、多数の熱融着部が分散状態に形成された中間体を製造した後、該中間体に熱処理を施して、第１繊維層形成材を熱収縮させて得られたものである。
【００２７】
本実施形態の個装体１０は、例えば、次のようにして得られる。先ず、パンティライナー１を、図３（ａ）に示すように包装材５上に載置し、パンティライナー１の幅狭部５２上に位置する部分を、パンティライナー１の肌当接面側が内側となるように幅狭部５２と共に一体的に折り曲げて、図３（ｂ）に示すような状態とする。この折り曲げの際には、パンティライナー１の長手方向の一端部と他端部とが重なるようにパンティライナー１の長手方向中央部を折り線として２つ折りすることが、肌当接面を衛生的に維持する観点から好ましい。
【００２８】
次いで、上記のように２つ折りしたパンティライナー１を、幅狭部５２と共に、幅広部５１から遠い側から巻き始め、パンティライナー１の全体が幅広部５１上に載るまで巻回して、図３（ｃ）に示す状態とする。尚、図３（ｂ）に示す状態から、パンティライナー１及び幅狭部５２を一体的に巻回する代わりに、パンティライナー１及び幅狭部５２を一体的に１回あるいは２回折り畳むことによって、パンティライナー１の全体を幅広部５１上に載せることもできる。
また、図３（ａ）に示す状態から、パンティライナー１及び幅狭部５２を一体的に巻き始め、巻回のみによってパンティライナー１の全体を幅広部５１上に載せることもできる。また、図７に示すように、パンティライナー１を、包装材５とともに、肌当接面側から見て一つの山折り線Ｂ２及び二つの谷折り線Ｂ３、Ｂ３で略Ｗ字状に折り曲げることによって、パンティライナー１の全体を幅広部５１上に乗せることもできる。
【００２９】
このようにして、パンティライナー１は、幅狭部５２と共に一体的に巻回され及び又は折り畳まれてコンパクトなロール状物Ｒとされ、該ロール状物Ｒは、幅広部５１のパンティライナー当接面側における幅方向中央部に載置される。
【００３０】
そして、図３（ｃ）に示す状態から、幅広部５１を、そのパンティライナー側の面を内側にしてその幅方向と直交する方向（パンティライナーの長手方向）に二つに折り畳み、折り畳まれて相対向している該幅広部５１の重ね合わせ部分の端縁を揃える。
このようにして、幅広部５１を、ロール状物Ｒを挟み込んだ状態にパンティライナー１の長手方向に折り畳んだ後、ロール状物Ｒの両端縁から外方に延出した該幅広部５１の幅方向両端縁部５１ｂ，５１ｂにおいて、該幅広部５１の相対向する重ね合わせ部分を、各端縁部５１ｂ，５１ｂに沿ってヒートシール、接着剤、エンボス加工等の公知の接合方法により接合することにより、シール部５３，５３を形成する。このようにして、図４に示す形態の個装体１０が得られる。図４に示す個装体１０においては、ロール状物Ｒの全体が幅広部５１に内包された状態となっている。
【００３１】
本実施形態の個装体１０によれば、パンティライナー１が、幅広部５１と幅狭部５２とからなる包装材５を用いて上述したように個別包装されており、シール部５３の長さが、パンティライナーの長さの１／３以下とされているため、個装体のコンパクト化が図られていると共に、図８に示すように、個装体１０を、親指と他の指の間に挟んで持ち、例えば、親指を、図中矢印Ａ又はＢで示す何れか一方向にずらすだけでシール部５３，５３の全域を剥離させることができる。本実施形態の個装体１０によれば、このようにして、個装体の開封操作を片手で容易且つ迅速に行うことができ、パンティライナーを取り出したきわめて容易である。また、シール部５３の長さが短いため、剥離音も軽減されている。
【００３２】
本実施形態の個装体１０の形成材料について説明する。
パンティライナー１を構成する液保持層２としては、上述した多層不織布２に代えて、液透過性の表面シートと液保持性の吸収体とを積層したもの等を用いることができる。表面シートとしては、各種製法による不織布、開孔フィルム、これらの積層体等を用いることができる。吸収体としては、パルプ繊維等の繊維集合体又はこれと吸水性ポリマーとを併用したもの等を用いることができる。また、吸収体として、吸収紙、乾式パルプシート、積繊したシート状パルプウエブ、吸収性ポリマーシート（不織布、紙、高吸収性ポリマー等により構成）等の吸収シートを用いることもできる。
【００３３】
パンティライナー１を構成する防漏層３としては、パンティライナーや生理用ナプキン等の吸収性物品の裏面シートとして従来用いられている各種のシート材を好ましく用いることができる。例えば、ポリエチレンフィルム、ポリプロピレンフィルム、ポリエステルフィルム等を用いることができる。また、ＳＭＳ不織布等の耐水性の高いシートを用いることもできる。
【００３４】
粘着材４としては、パンティライナーや生理用ナプキン等の吸収性物品の粘着部形成用に用いられている各種の粘着剤を特に制限無く用いることができ、例えば、スチレン−ブタジエン共重合体、スチレン−イソプレン共重合体等が挙げられる。
【００３５】
包装材５（幅広部５１、幅狭部５２）としては、例えば、ポリプロピレン、ポリエステル、ポリエチレン、ポリビニルアルコール、紙、ＳＭＳ不織布等の不織布、あるいはこれらの複合材料等を用いることができる。
【００３６】
以上、本発明の実施形態について説明したが、本発明は、上述した実施形態に制限されず、本発明の趣旨を逸脱しない範囲で種々変更が可能である。
例えば、本発明の個装体は、図９に示すように、長手方向における幅広部５１の前後それぞれに幅狭部５２，５２を有する包装材５を用いたものであっても良い。図９に展開状態を示す個装体においては、パンティライナー１における、幅狭部５２，５２上に位置する部分を、それぞれ幅狭部５２と共に巻回し及び／又は折り畳んで２つのロール状物とし、次いで、２つのロール状物を挟み込むように幅広部５１を２つ折りし、その幅広部５１における、パンティライナー１の両端縁から外方に延出した該幅広部５１の幅方向両端縁部５１ｂ，５１ｂにおいて、該幅広部５１の相対向した重ね合わせ部分が接合されてシール部が形成されている。各幅狭部５２上に位置する部分の巻回及び／又は折り畳み方法の一例としては、図９中に示す折り線Ｂ４において、パンティライナー１を肌当接面側に幅狭部５２と共に折り曲げた後、折り線Ｂ５で更に肌当接面側を内側にして折り曲げて、パンティライナー１の全体を幅広部５１上に載せる方法が挙げられる。
【００３７】
上述した各実施形態においては、幅広部５１と幅狭部５２とが一枚の連続したシートから形成されていたが、別のシートから形成した幅広部５１と幅狭部５２をつなげて包装材５として用いることもできる。
また、接合部と非接合部とを長手方向に交互に有するシール部における接合部は、その平面視形状が、上述した実施形態のように平行四辺形状のものに代えて、円形、楕円形、星型、線状等であっても良い。
【００３８】
また、本発明に係る吸収性物品は、上述したパンティライナー（おりものシート）以外に、生理用ナプキン、失禁パッド等であってもよい。
【図面の簡単な説明】
【００３９】
【図１】本発明の一実施形態の吸収性物品の個装体を展開し、これを吸収性物品（パンティライナー）側から見た状態を示す平面図である。
【図２】図１のＸ−Ｘ線断面を模式的に示す縦断面図である。
【図３】本発明の個装体の製造手順を説明するための図で、図３（ａ）は、包装材上に吸収性物品を載置した状態を示す斜視図、図３（ｂ）は、図３（ａ）に示す展開状態の吸収性物品を幅狭部と共に２つ折りした状態を示す斜視図、図３（ｃ）は、巻回及び／又は折り畳んで吸収性物品の全体を幅広部上に載せた状態を示す斜視図である。
【図４】本発明の一実施形態の吸収性物品の個装体を示す斜視図である。
【図５】図２におけるＹ−Ｙ線で挟まれた部分（液保持層）の一部の拡大断面図である。
【図６】図４に示す個装体のシール部の詳細を示す図である。
【図７】本発明の個装体の製造手順の他の例を説明するための図で、パンティライナーを包装材と共に折り畳んだ状態を模式的に示すパンティライナー及び包装材の長手方向に沿う断面を示す模式断面図である。
【図８】図４に示す個装体を親指と他の指との間に挟んで持った状態を示す斜視図である。
【図９】本発明の他の実施形態の吸収性物品の個装体を展開し、これを吸収性物品（パンティライナー）側から見た状態を示す平面図である。
【図１０】摩擦係数の測定方法の説明図である。
【符号の説明】
【００４０】
１  パンティライナー（おりものシート）
２  液保持層
３  防漏層
４  粘着剤
５  包装材
１０  個装体
５１  幅広部
５２  幅狭部
５３  シール部
Ｒ  ロール状物
【図１】
2007097923.tif 000003
【図２】
2007097923.tif 000004
【図３】
2007097923.tif 000005
【図４】
2007097923.tif 000006
【図５】
2007097923.tif 000007
【図６】
2007097923.tif 000008
【図７】
2007097923.tif 000009
【図８】
2007097923.tif 000010
【図９】
2007097923.tif 000011
【図１０】
2007097923.tif 000012